(57)【要約】      （修正有）【課題】空気の出入りを防ぐ開口部を簡易に作成することができ、空気抜けを最小化し、開き過ぎや、長期間使用しても劣化しない作業服を提供する。【解決手段】作業服は、安全保護具が通される開口部５が形成されている。開口部５を塞ぐように一対の開口片６と開口片７が重ね合わされて後身頃２に縫合され、開口片６は上側及び左右側の各辺が後身頃２に縫合され、開口片７は下側及び左右側の各辺が後身頃２に縫合され、前記一対の開口片５、６を橋渡しするように一対の閉塞片８、９が縫合されており、前記一対の閉塞片８、９は前記開口部５の長さ方向の左右両側に設けられ、内側の端部の長さが開口部５の幅より長く弛ませている。閉塞片８は左側及び上下側の各辺が開口片６、７に縫合され、閉塞片９は右側及び上下側の各辺が開口片６、７に縫合されている。【選択図】図２
2020094298.tif 000002
【特許請求の範囲】
【請求項１】
後身頃に設けられた開口部に安全保護具が通される作業服であって、前記開口部を両側から塞ぐように一対の開口片が重ね合わされて後身頃に縫合され、前記開口部の長さ方向の左右両側に設けられた一対の閉塞片が前記一対の開口片を橋渡しするように、一対の閉塞片の端部が間隔を向き合って前記一対の開口片に縫合されており、前記一対の閉塞片が縫合により橋渡しされている直線距離は、当該直線上を橋渡しされた前記一対の閉塞片に沿ったそれぞれの距離よりも短いことにより、前記一対の閉塞片は弛んでいることを特徴とする作業服。
【請求項２】
請求項１の作業服において、前記後身頃に設けられた開口部が前記作業服の幅方向に長い開口を有しており、前記一対の閉塞片の端部は上側の間隔が下側の間隔よりも短いことを特徴とする作業服。
【発明の詳細な説明】
【技術分野】
【０００１】
本発明は、安全器具を装着して着用できる作業服に関するものである。
【背景技術】
【０００２】
高所作業では、墜落を防ぐため作業者は安全帯を装着する。例えば特許文献１により知られる技術によれば、ハーネス型安全帯を装着し、その上に作業服を着用できるよう、作業服の後身頃に開口部を設け、開口部からハーネス型安全帯を通してランヤードに接続して使用できるようになっている。
【０００３】
また、開口部から空気の出入りを防ぐ技術も、例えば特許文献２により知られている。この技術では、後身頃に設けられた開口部を塞ぐ一対の開口片が設けられている。一対の開口片は、開口部の上側と下側に夫々縫着され、互いに重ね合わされている。一対の開口片を上下方向に開くことにより、開口部が開口される。開口部の内側に収縮片が設けられている。収縮片はゴム製で、一対の開口片を橋渡しするように縫合されている。
【先行技術文献】
【特許文献】
【０００４】
【特許文献１】米国特許第６２５６７８９号公報
【特許文献２】実用新案登録第３２１５５７４号公報
【発明の概要】
【発明が解決しようとする課題】
【０００５】
しかし、収縮片はゴム等の伸縮部材からなり、開き過ぎや、使用により劣化して開口部を塞ぐ機能が落ちる。
そこで、本発明は、空気の出入りを防ぐ開口部を簡易に作成することができ、空気抜けを最小限にし、長期間使用しても劣化しない作業服を提供することを目的とする。
【課題を解決するための手段】
【０００６】
上記目的を達成するために、本発明の作業服は、後身頃に設けられた開口部に安全保護具が通される作業服であって、前記開口部を両側から塞ぐように一対の開口片が重ね合わされて後身頃に縫合され、前記開口部の長さ方向の左右両側に設けられた一対の閉塞片が前記一対の開口片を橋渡しするように、一対の閉塞片の端部が間隔を向き合って前記一対の開口片に縫合されており、前記一対の閉塞片が縫合により橋渡しされている直線距離は、当該直線上を橋渡しされた前記一対の閉塞片に沿ったそれぞれの距離よりも短いことにより、前記一対の閉塞片は弛んでいることを特徴とする。
【発明の効果】
【０００７】
この発明によれば、一対の閉塞片は弛ませて縫着されているため、一対開口片が上下方向に開き過ぎるのを抑え、ハーネス型安全帯の係止具の上下を上下一対の開口片で塞ぎ、左右を左右一対の閉塞片で塞ぐことにより、空気の抜けを最小限にすることができる。
【図面の簡単な説明】
【０００８】
【図１】本発明に係る作業服の背面図である。
【図２】開口部の構造を説明する図であって、図２Ａは開口部の表側の説明図、図２Ｂは開口部の裏側において閉塞片を縫合した後の状態の説明図、図２Ｃは開口部の裏側において閉塞片を縫合する前の状態の説明図、図２Ｄは閉塞片の平面図、図２ＥはＸ−Ｘ断面図、図２ＦはＹ−Ｙ断面図である。
【図３】開口部の作用を示す図であって、図３Ａは開口部の表側で開口部を開いた状態の説明図、図３Ｂは開口部の表側でハーネス型安全帯の係止具を開口部から出した状態の説明図、図３Ｃは開口部の裏側でハーネス型安全帯の係止具を開口部から出した状態の説明図である。
【発明を実施するための形態】
【０００９】
以下、本発明に係る作業服の一実施の形態について、図面を用いて説明する。
図１において、作業服（上着）１は後身頃２、袖３、襟４等からなる。後身頃２の幅方向の中央に開口部５がある。開口部５は、作業服１の下に作業者が装着したハーネス型安全具を挿通可能とする孔である。図においては、開口部５は、作業服１の幅方向に長い長方形であるが、縦方向に長いものでも良い。
【００１０】
開口部５は後身頃２に設けられた横長の開口部５の周囲に一対の開口片６と開口片７が縫合糸５１ａ、５１ｂ、５２ａ、５２ｂにより縫合されている。図２Ａ−２Ｃにおいて、開口部５の長さ方向をａ方向とし、これに直交する方向をｂ方向とすると、後身頃２を表側から見た図２Ａにおいて、開口部５を、開口片６が塞ぐように見えている。一方、後身頃２を裏側から見た図２Ｂにおいて、開口部５の上側を開口片６がａ方向の縫合糸５１ａにより縫合されている。開口部５の左右両側では開口片６がｂ方向の縫合糸５２ａ、５２ｂにより縫合されている。開口部５の下側ａ方向に開口片７が縫合糸５１ｂにより縫合され、開口部５の左右両側では開口片７がｂ方向の縫合糸５２ａ、５２ｂにより縫合されている。
【００１１】
開口片６と開口片７は、開口部５を上下の両側から塞ぐように一部が重ね合わされて後身頃２に縫合されている。開口片６と開口片７には、さらに、縫い代６ａ、７ａが形成されている。開口部５の左右両側から閉塞片８、閉塞片９が夫々開口部５のａ方向の中心に向けて、互いの端部ＥＤが間隔を開けた状態で配置されている。そして、閉塞片８、閉塞片９は、夫々が開口片６と開口片７を橋渡しするように縫合糸５３ａ、５３ｂ若しくは縫合糸５５ａ、５５ｂにより縫合されている。図２Ｃは、閉塞片８、閉塞片９の縫合位置を図２Ｂとの比較で示すために、閉塞片８、閉塞片９を取り外した状態で表されている。
【００１２】
閉塞片８及び閉塞片９は伸縮性を有しておらず、図２Ｄに示す平面図のように、左右の片の長さＬ１及びＬ２が異なり、閉塞片８及び閉塞片９が互いに向き合う側の端部ＥＤの長さＬ１の方が長い。端部ＥＤを長くすることにより、閉塞片８及び閉塞片９を作業服１の内側にして弛ませる。閉塞片８は上下側の各辺に沿って縫い代６ａ、７ａに対して縫合糸５３ａ、５３ｂにより縫合されている。閉塞片９は上下側の各辺に沿って  縫い代６ａ、７ａに対して縫合糸５５ａ、５５ｂにより縫合されている。閉塞片８と閉塞片９が縫合糸５３ａ、５３ｂおよび縫合糸５５ａ、５５ｂにより縫われる位置を一点破線８１ａ、８１ｃおよび一点破線９１ａ、９１ｃで示している。閉塞片８はさらに、その左側を縫い代６ａ、７ａの両方に対して縫合糸５４により縫合され、閉塞片９はその右側を縫い代６ａ、７ａの両方に対して縫合糸５６により縫合されている。縫合糸５４および縫合糸５６により縫われる位置を、一点破線８１ｂ、９１ｂで示している。
【００１３】
図２Ｅ、図２Ｆにおいて、Ｘ−Ｘ断面及びＹ−Ｙ断面が示されている。後身頃２の表側（図の右側）において、開口片６が開口部５を塞いでおり、その後ろ側に開口片７が一部重複している状態が示されている。図中上下に位置する縫い代６ａ、７ａを橋渡しするように閉塞片８、閉塞片９が縫合糸５３ａ、５５ａ、５３ｂ、５５ｂにより縫合されている。
【００１４】
縫合糸５３ａと５３ｂとの間隔を直線で結ぶ距離、若しくは、縫合糸５５ａと５５ｂとの間を最短の直線ｐで結ぶ直線距離をＬ５とし、直線ｐ上で縫合糸５３ａと５３ｂ若しくは縫合糸５５ａと５５ｂの間で橋渡しする閉塞片８若しくは閉塞片９に沿った距離をＬ６としたとき、Ｌ５の方がＬ６より短くなっている。距離Ｌ６は、開口部５の中央に近い閉塞片８、閉塞片９の端部から開口部５の左右両端に近づくほど短くなり、一点鎖線８１ｂ、９１ｂの位置では、Ｌ５と重なり長さは等しくなる。この結果、閉塞片８、閉塞片９は中央に寄るほど弛みが多く閉塞片８、閉塞片９と開口片６、開口片７の間に空間ができている。また、Ｙ−Ｙ断面に示されるように、開口部５の中央付近では、閉塞片８、閉塞片９の端部ＥＤが向き合って離れており、この間を使って、ハーネス型安全帯の係止具１０が後身頃２を貫通する。
【００１５】
図３には、本実施例による作業服の作用が示されている。図３Ａにおいて、開口片６と開口片７とをｂ方向に開くことにより、開口部５が開口される。図３Ｂは、開口部５の表側でハーネス型安全帯の係止具１０を開口部から出した状態の説明図である。閉塞片８及び閉塞片９は、開口片６及び開口片７がｂ方向に開く動きに対して、開口片６及び開口片７を開き過ぎないように作用する。図３Ｃを参照し、後身頃２の裏側から、閉塞片８及び閉塞片９の作用を説明する。ハーネス型安全帯の係止具１０により、開口片６及び開口片７がｂ方向に開く動きＦ１に対して、閉塞片８及び閉塞片９に当接して係止具１０に倣って変形することにより、閉塞片８及び閉塞片９は上下に開度が広がることを抑える。また、閉塞片８及び閉塞片９が変形する際に、係止具１０の左右に密着することにより、空気の抜けを最小化する。
【００１６】
また、係止具１０により閉塞片８及び閉塞片９を左右に押し広げる動きＦ２が生じるが、この動きＦ２に対して、閉塞片８及び閉塞片９の弛みがなくなると、閉塞片８及び閉塞片９は弾性を有していないので、開口片６及び開口片７を直接的により強く塞ぐ方向に力として発揮する。このような作用により、さらに開口部５から空気の抜けを最小限にする。
【００１７】
本実施例においては、閉塞片８及び閉塞片９には弾性がないため、ハーネス型安全帯の係止具１０がランヤードにより緊張したとき、閉塞片８及び閉塞片９が伸びて開口が開いてしまうことがない。
【００１８】
本実施例においては、縫合糸５４及び縫合糸５６により縫い代６ａ、７ａに対して縫合される範囲は、閉塞片８、閉塞片９の一点鎖線８１ｂ、９１ｂで示した位置に一致しているが、縫い代６ａ、７ａに対して縫合をせずにおいても良い。また、係止具１０は開口部から出した際、下に垂れ下がるため、上部に隙間ができやすい。しかし、閉塞片８、閉塞片９の上端部の長さＬ３を下端部の長さＬ４より長くし、閉塞片８、閉塞片９の端部ＥＤの上側の間隔ＷＵを端部ＥＤの下端の間隔ＷＤよりも小さくすることにより（図２Ｂ）、開口部を開いた時の上部からの空気漏れを少なくすることができる。
【００１９】
上記実施例においては、縫合糸５３ａ、５３ｂ若しくは縫合糸５５ａ、５５ｂは、後身頃２も合わせて縫合するものではないが、後身頃２を合わせて縫合しても良い。開口部５が作業服１の幅方向に長さを持つ物を示したが、縦方向であっても斜め方向であっても良い。また、上記実施例においては、通常の作業服への適用例を示したが、本発明の開口部は冷却ファンを装備した作業服にも取り付けることも可能で有る。また防寒着などその他の作業着にも取り付けることも可能で有り、そのような開口部を有する作業着は、開口部から冷気が入ってこない、ハーネスを取り付けた上から服を着用することによりスッキリとした見た目になるという効果を奏する。
【００２０】
上記実施例において、一対の開口片６、７や一対の閉塞片８、９のパーツを、「コーデュラナイロン」（尚、「コーデュラ」は、インヴィスタ  テキスタイルズ（ユー．ケー．）リミテッドの登録商標第２６６０２９４号）等のさらに丈夫な素材にして、強度を上げても良い。
【符号の説明】
【００２１】
１    作業服
２    後身頃
３    袖
４    襟
５    開口部
６、７  開口片
８、９  閉塞片
１０  係止具
【図１】
2020094298.tif 000003
【図２】
2020094298.tif 000004
【図３】
2020094298.tif 000005